Podtech/llm-jp-corpus-v4-ja_patent huggingface dataset:
【手続補正書】
【提出日】平成20年7月4日(2008.7.4)
【手続補正１】
【補正対象書類名】特許請求の範囲
【補正対象項目名】全文
【補正方法】変更
【補正の内容】
【特許請求の範囲】
【請求項１】
画像の属性情報に基づき、当該画像が、撮影画像を画像処理して生成された処理画像であるか撮影画像であるかを判断する属性判断手段と、
前記属性判断手段の判断結果による撮影画像であるか処理画像であるかに基づき、前記画像を分類する分類手段と、
前記画像を、前記分類手段による分類ごとに表示させる表示手段と、
前記表示された画像を、前記表示された画像が属する分類内の前記表示された画像と異なる画像に切替えて表示させる切替手段と、
を有することを特徴とする画像管理装置。
【請求項２】
前記分類手段は、処理画像であると判断された画像を、当該画像に関連する撮影画像に対応付けて分類することを特徴とする請求項１に記載の画像管理装置。
【請求項３】
前記撮影画像の属性情報は検査の情報を含み、前記分類手段は、前記処理画像を前記撮影画像と同じ検査に分類することを特徴とする請求項２に記載の画像管理装置。
【請求項４】
前記分類手段は、処理画像であると判断された画像同士を関連付けて分類することを特徴とする請求項１に記載の画像管理装置。
【請求項５】
前記処理画像の属性情報は検査の情報を含み、前記分類手段は、複数の処理画像を同じ検査に分類することを特徴とする請求項４に記載の画像管理装置。
【請求項６】
画像の第１及び第２の分類態様から一の分類態様を指示する指示手段と、
前記第１の分類態様又は第２の分類態様により分類された結果に基づき画像リストを表示する画像リスト表示手段と、
を更に有し、
前記分類手段は、前記指示手段による指示に基づき、前記第１の分類態様又は第２の分類態様により前記画像を分類することを特徴とする請求項１に記載の画像管理装置。
【請求項７】
前記第１の分類態様又は第２の分類態様による画像の分類の切り替えを指示する切り替え指示手段を更に有し、
前記分類手段は、前記切り替え指示手段の指示に基づき、画像を分類することを特徴とする請求項６に記載の画像管理装置。
【請求項８】
前記処理画像は、同一被写体を異なる時点でそれぞれ撮影した複数の撮影画像間で差分処理を行った画像であることを特徴とする請求項１に記載の画像管理装置。
【請求項９】
前記処理画像は、同一被写体の異なる部分を撮影した複数の撮影画像をつなぎ合わせる画像処理を行った画像であることを特徴とする請求項１に記載の画像管理装置。
【請求項１０】
前記属性判断手段は、前記画像の属性情報に含まれているクラス属性がセカンダリキャプチャクラスであるか否かにより、前記処理画像であるか否かを判断することを特徴とする請求項１に記載の画像管理装置。
【請求項１１】
画像の属性情報に基づき、当該画像が、撮影画像を画像処理して生成された処理画像であるか撮影画像であるかを判断する属性判断ステップと、
前記属性判断ステップにおける判断結果である撮影画像であるか撮影画像であるかに基づき、前記画像を分類する分類ステップと、
前記画像を、前記分類ステップにおける分類ごとに表示させる表示ステップと、
前記表示された画像を、前記表示された画像が属する分類内の前記表示された画像と異なる画像に切替えて表示させる切替ステップと、
を有することを特徴とする画像管理方法。
【請求項１２】
前記分類ステップにおいて、処理画像であると判断された画像を、当該画像に関連する撮影画像に対応付けて分類することを特徴とする請求項１１に記載の画像管理方法。
【請求項１３】
前記分類ステップにおいて、処理画像であると判断された画像同士を関連付けて分類することを特徴とする請求項１１に記載の画像管理方法。
【請求項１４】
画像の第１及び第２の分類態様から一の分類態様を指示する指示ステップと、
前記第１の分類態様又は第２の分類態様により分類された結果に基づき画像リストを表示する画像リスト表示ステップと、
を更に有し、
前記分類ステップにおいて、前記指示ステップにおける指示に基づき、前記第１の分類態様又は第２の分類態様により前記画像を分類することを特徴とする請求項１１に記載の画像管理方法。
【請求項１５】
前記第１の分類態様又は第２の分類態様による画像の分類の切り替えを指示する切り替え指示ステップを更に有し、
前記分類ステップにおいて、前記切り替え指示ステップにおける指示に基づき、画像を分類することを特徴とする請求項１４に記載の画像管理方法。
【請求項１６】
コンピュータに、請求項１１乃至１５のいずれか１項に記載の画像管理方法の各ステップを実行させることを特徴とするプログラム。
【請求項１７】
請求項１６に記載したプログラムを記録したことを特徴とするコンピュータ読み取り可能な記録媒体。
【手続補正２】
【補正対象書類名】明細書
【補正対象項目名】００２３
【補正方法】変更
【補正の内容】
【００２３】
本願発明の画像管理装置は、画像の属性情報に基づき、当該画像が、撮影画像を画像処理して生成された処理画像であるか撮影画像であるかを判断する属性判断手段と、前記属性判断手段の判断結果による撮影画像であるか処理画像であるかに基づき、前記画像を分類する分類手段と、前記画像を、前記分類手段による分類ごとに表示させる表示手段と、前記表示された画像を、前記表示された画像が属する分類内の前記表示された画像と異なる画像に切替えて表示させる切替手段と、を有することを特徴とする。
【手続補正３】
【補正対象書類名】明細書
【補正対象項目名】００２４
【補正方法】変更
【補正の内容】
【００２４】
また、本願発明の画像管理方法は、画像の属性情報に基づき、当該画像が、撮影画像を画像処理して生成された処理画像であるか撮影画像であるかを判断する属性判断ステップと、前記属性判断ステップにおける判断結果である撮影画像であるか撮影画像であるかに基づき、前記画像を分類する分類ステップと、前記画像を、前記分類ステップにおける分類ごとに表示させる表示ステップと、前記表示された画像を、前記表示された画像が属する分類内の前記表示された画像と異なる画像に切替えて表示させる切替ステップと、を有することを特徴とする。
【手続補正書】
【提出日】平成20年5月26日(2008.5.26)
【手続補正１】
【補正対象書類名】特許請求の範囲
【補正対象項目名】全文
【補正方法】変更
【補正の内容】
【特許請求の範囲】
【請求項１】
メモリ・システムであって、
メモリ・コントローラおよび少なくとも１つのメモリ・モジュールを含む、少なくとも２つのメモリ・アセンブリと、
少なくとも１つの予備のビット・レーンを含む複数のビット・レーンの各々にそれぞれ対応する複数のセグメントから成るメモリ・バスを備え、
前記各メモリ・モジュールは前記メモリ・バスを介して、直接に又はカスケード型の態様で前記メモリ・コントローラに接続され、任意の２つの相互接続アセンブリの間の単一のセグメントを、他の任意の２つの相互接続アセンブリ間の単一のセグメントを前記他の任意の２つの相互接続アセンブリ間の予備のセグメントで置換する能力を保持したまま、前記任意の２つの相互接続アセンブリの間の予備のセグメントで置換することができる、
メモリ・システム。
【請求項２】
前記メモリ・バスはダウンストリーム・バスであり、前記単一のセグメントは前記ダウンストリーム・バスの上に配置されている、請求項１に記載のメモリ・システム。
【請求項３】
前記メモリ・バスはアップストリーム・バスであり、前記単一のセグメントは前記アップストリーム・バスの上に配置されている、請求項１に記載のメモリ・システム。
【請求項４】
メモリ・コントローラおよび少なくとも１つのメモリ・モジュールを含む、少なくとも２つのメモリ・アセンブリと、少なくとも１つの予備のビット・レーンを含む複数のビット・レーンの各々にそれぞれ対応する複数のセグメントを備えたメモリ・バスとを含むメモリ・システムであって、各メモリ・モジュールは前記メモリ・バスを介して直接に又はカスケード型の態様で前記メモリ・コントローラに接続されるメモリ・システムの任意のメモリ・アセンブリにおいて実行される、セグメント・レベルの予備化を実現する方法であって、
入力信号を受信するステップと、
前記入力信号中のビット群のうちの１つが、前記任意のメモリ・アセンブリの上流または下流にあるメモリ・アセンブリとの間における故障セグメントに関連付けられるのに応答して、前記入力信号中の前記ビット群を再配置するステップ
とを備えた、方法。
【請求項５】
前記入力信号が予備ビットを含み、前記予備ビットが前記入力信号中で利用されている場合、前記ビット群のうちの１つを故障セグメントに関連付ける、請求項４に記載の方法。
【請求項６】
さらに、前記入力信号中の再配置した前記ビット群のうちの１つが、前記現在のメモリ・アセンブリに接続されている故障セグメントに関連付けられるのに応答して、前記入力信号中の再配置した前記ビット群の順番を入れ替えるステップと、前記任意のメモリ・アセンブリの上流または下流にあるメモリ・アセンブリに前記順番を入れ替えたビット群を転送するステップとを備えた、請求項４に記載の方法。
【請求項７】
前記再配置をマルチプレクサで行う、請求項４に記載の方法。
【請求項８】
前記任意のメモリ・アセンブリはメモリ・コントローラまたはメモリ・モジュールである、請求項４に記載の方法。
【請求項９】
前記バスは一方向性のアップストリーム・メモリ・バスおよび一方向性のダウンストリーム・メモリ・バスを含む、請求項４に記載の方法。
【請求項１０】
前記アップストリーム・メモリ・バス上の情報は２３個の信号を含み、１個の信号は予備ビットであり、４個の信号はエラー訂正コード・ビットである、請求項９に記載の方法。
【請求項１１】
前記ダウンストリーム・メモリ・バス上の情報は２２個の信号を含み、１個の信号は予備ビットであり、４個の信号はエラー訂正コード・ビットである、請求項９に記載の方法。
【請求項１２】
前記カスケード型相互接続システムはバス・レベル・エラー訂正コード機能ブロックを備えている、請求項４に記載の方法。
【請求項１３】
さらに、前記再配置したビット群をバス・レベル・エラー訂正コード機能ブロックに転送するステップを備えた、
請求項１２に記載の方法。
【請求項１４】
前記バス・レベル・エラー訂正コード機能ブロックはエラー・フラグおよびエラー・データをメモリ・コントローラにエラー報告ブロックを介して転送する、請求項１３に記載の方法。
【請求項１５】
さらに、故障ビットを無効にして予備ビットを使用するコマンドを、前記現在のメモリ・アセンブリにおいて受信するステップを備えた、請求項１３に記載の方法。
【請求項１６】
前記コマンドをメモリ・コントローラから受信する請求項１５に記載の方法。
【請求項１７】
メモリ・コントローラおよび少なくとも１つのメモリ・モジュールを含む、少なくとも２つのメモリ・アセンブリと、少なくとも１つの予備のビット・レーンを含む複数のビット・レーンの各々にそれぞれ対応する複数のセグメントを備えたメモリ・バスとを含むメモリ・システムであって、各メモリ・モジュールは前記メモリ・バスを介して直接に又はカスケード型の態様で前記メモリ・コントローラに接続されるメモリ・システムの任意のメモリ・アセンブリにおいて実行される、セグメント・レベルの予備化を実現するためのプログラムであって、前記プログラムは前記任意のメモリ・アセンブリに、
入力信号を受信するステップと、
前記入力信号中のビット群のうちの１つが、アップストリームまたはダウンストリームのメモリ・アセンブリにおける故障セグメントに関連付けられるのに応答して、前記入力信号中の前記ビット群を再配置するステップ
とを実行させる、プログラム。
【請求項１８】
メモリ・システムであって、
メモリ・コントローラおよび少なくとも１つのメモリ・モジュールを含む、少なくとも２つのメモリ・アセンブリと、
少なくとも１つの予備のビット・レーンを含む複数のビット・レーンの各々にそれぞれ対応する複数のセグメントから成るメモリ・バスを備え、
前記各メモリ・モジュールは前記メモリ・バスを介して、直接に又はカスケード型の態様で前記メモリ・コントローラに接続され、任意の２つの相互接続アセンブリの間の単一のクロック・セグメントを、他の任意の２つの相互接続アセンブリ間の単一のクロック・セグメントを前記他の任意の２つの相互接続アセンブリ間の予備のセグメントで置換する能力を保持したまま、前記任意の２つの相互接続アセンブリの間の予備のセグメントで置換することができる、
メモリ・システム。
【手続補正書】
【提出日】平成20年5月23日(2008.5.23)
【手続補正１】
【補正対象書類名】特許請求の範囲
【補正対象項目名】全文
【補正方法】変更
【補正の内容】
【特許請求の範囲】
【請求項１】
リモートファンクションコールによってワークブックモデルにアクセスする方法であって、
前記ワークブックモデルを定義する機能を提供するステップと、
メタデータをワークブック関数に関連付けるステップであって、前記メタデータは、前記ワークブック関数の説明を含んでいることと、
前記ワークブック関数を定義するデータを含み、前記ワークブックモデルをリモートファンクションコールによって利用可能にするリクエストを受信するステップと、
前記ワークブックモデル、前記ワークブック関数の説明を含んでいる関連付けられたメタデータおよび前記関数を定義する前記データを、前記関数に対するリモートコールを受信しおよび応答するように動作するサーバコンピュータに公開するステップと
を備えることを特徴とする方法。
【請求項２】
前記関数を定義する前記データは、前記関数の名前を含むことを特徴とする請求項１に記載の方法。
【請求項３】
前記関数を定義する前記データは、前記関数の入力として利用されるべき１つまたは複数のワークブックセルの識別情報ならびに各セルに対応する名前を含むことを特徴とする請求項２に記載の方法。
【請求項４】
前記関数を定義する前記データは、前記関数の出力として利用されるべき１つまたは複数のワークブックセルの識別情報ならびに各セルに対応する名前を含むことを特徴とする請求項３に記載の方法。
【請求項５】
前記サーバコンピュータに１つまたは複数の入力パラメータと共にリモートファンクションコールを発行するステップと、前記サーバコンピュータから１つまたは複数の出力パラメータを受信するステップとをさらに備えることを特徴とする請求項４に記載の方法。
【請求項６】
第２のワークブックのコンテキスト内からリモートワークブック関数を呼び出すリクエストを受信するステップと、
前記リクエストに応答して、呼び出される前記リモートワークブック関数の識別情報、前記リモートワークブック関数への入力用に利用される前記第２のワークブック内の１つまたは複数のセルの識別情報ならびに前記リモートワークブック関数からの出力を入れる前記第２のワークブック内の１つまたは複数のセルの識別情報を受信するステップと、
入力用に使用される前記１つまたは複数のセルの内容と共に、前記リモートワークブック関数に対するリモートファンクションコールを発行するステップと、
前記コールに応答して、前記リモートワークブック関数から１つまたは複数の出力を受信するステップと、
前記リモートワークブック関数から受信した前記出力を、前記リモートワークブック関数からの出力を入れるべき前記１つまたは複数のセルに入れるステップと、
をさらに備えることを特徴とする請求項４に記載の方法。
【請求項７】
コンピュータによって実行されたとき、請求項１に記載の方法をコンピュータに実行させるコンピュータ実行可能命令を記憶させていることを特徴とするコンピュータ読取り可能媒体。
【請求項８】
請求項１に記載の方法を実行可能なコンピュータにより制御された装置。
【請求項９】
リモートファンクションコールによってワークブック関数へのアクセスを提供する方法であって、
ワークブック、前記ワークブック用の関数定義および前記関数を定義するメタデータを受信するステップであって、前記関数定義は、前記ワークブック関数の名前、前記ワークブック関数用の入力として使用される前記ワークブック内の１つまたは複数のセルの記述、並びに、前記関数用の出力として使用される前記ワークブック内の１つまたは複数のセルの記述とを含むことと、
１つまたは複数の入力パラメータを含み、前記ワークブック関数に宛てたリモートファンクションコールを受信するステップと、
前記ワークブックをロードするステップと、
前記ワークブック関数用の入力として使用される前記ワークブック内の前記１つまたは複数のセルに、前記入力パラメータを入れるステップと、
前記ワークブックを計算するステップと、
前記関数用の出力として使用される前記ワークブック内の前記１つまたは複数のセルの内容を取り出すステップと、
前記リモートファンクションコールへの応答として、前記内容を返すステップと
を備えることを特徴とする方法。
【請求項１０】
前記ワークブックを計算する前記ステップの前に、
前記ワークブックが外部データソースまたは別のワークブック関数への参照を含むかどうかを決定するステップと、
前記ワークブックが外部データソースまたは別のワークブック関数への参照を含むとの決定に応答して、参照されたデータに対して前記データソースに問い合せを行い、前記ワークブックに前記データを入力するステップと
をさらに備えることを特徴とする請求項９に記載の方法。
【請求項１１】
コンピュータによって実行されたとき、請求項９に記載の方法をコンピュータに実行させるコンピュータ実行可能命令を記憶させていることを特徴とするコンピュータ可読媒体。
【請求項１２】
請求項９に記載の方法を実行可能なコンピュータにより制御された装置。
【請求項１３】
リモートファンクションコールによってワークブックモデルにアクセスするシステムであって、
前記ワークブックモデルを定義する機能を提供し、関数定義を含み、前記ワークブックモデルをリモートファンクションコールによって利用可能にするリクエストを受信するように動作し、前記関数の説明を含むメタデータと前記関数とを関連付け、ならびに前記関数に対するリモートコールを受信しおよび応答するように動作するサーバコンピュータに、前記ワークブック、前記関数定義と関連付けられたメタデータならびに前記関数定義を公開するように動作するクライアントコンピュータと、
前記クライアントコンピュータから前記ワークブック、関数定義ならびに前記関数定義と関連付けられた前記関数の説明を含む前記メタデータを受信し、１つまたは複数の入力パラメータを含むリモートファンクションコールを受信し、前記ワークブックをロードし、前記関数定義で指定されたセルに前記入力パラメータを入れ、前記ワークブックを計算し、前記関数用の出力として使用され前記関数定義によって指定された１つまたは複数のセルの内容を取り出し、前記セルの前記内容を前記リモートファンクションコールへの応答として返すように動作するサーバコンピュータと
を備えたことを特徴とするシステム。
【請求項１４】
前記関数定義は、前記関数の名前と、前記関数の入力として利用される１つまたは複数のワークブックセルの識別情報および各セルに対応する名前と、前記関数の出力として利用される１つまたは複数のワークブックセルの識別情報および各セルに対応する名前とを含むことを特徴とする請求項１３に記載のシステム。
【請求項１５】
前記ワークブックを計算する前に、前記サーバコンピュータは、
前記ワークブックが外部データソースへの参照を含むかどうかを決定し、
前記ワークブックが外部データソースへの参照を含むとの決定に応答して、参照されたデータに対して前記データソースに問い合せを行い、前記ワークブックに前記データを設定するようにさらに動作することを特徴とする請求項１４に記載のシステム。
【手続補正書】
【提出日】平成20年2月20日(2008.2.20)
【手続補正１】
【補正対象書類名】特許請求の範囲
【補正対象項目名】請求項３
【補正方法】変更
【補正の内容】
【請求項３】
請求項１において、
前記光記録媒体は、前記記録層を第２の記録層としたとき、基板上に第１の記録層、透明中間層、前記記録層及び光透過層を、この順で積層してなることを特徴とする光記録媒体への情報記録方法。
【手続補正２】
【補正対象書類名】明細書
【補正対象項目名】００２２
【補正方法】変更
【補正の内容】
【００２２】
（３）前記光記録媒体は、前記記録層を第２の記録層としたとき、基板上に第１の記録層、透明中間層、前記記録層及び光透過層を、この順で積層してなることを特徴とする（１）に記載の光記録媒体への情報記録方法。
【手続補正書】
【提出日】平成20年8月28日(2008.8.28)
【手続補正１】
【補正対象書類名】明細書
【補正対象項目名】特許請求の範囲
【補正方法】変更
【補正の内容】
【特許請求の範囲】
【請求項１】  シート束に対して綴じ処理を行う綴じ手段を備えたシート処理装置において、
前記綴じ手段は着脱可能な針カートリッジを備え、かつシート束を綴じる位置と、前記針カートリッジを交換する位置とに選択的に移動可能に装置本体に設けられていることを特徴とするシート処理装置。
【請求項２】  前記綴じ手段を前記装置本体に着脱可能に設けたことを特徴とする請求項１記載のシート処理装置。
【請求項３】  前記綴じ手段はシート束を綴じる位置及び前記針カートリッジを交換する位置の各位置において一定の力で保持されることを特徴とする請求項１又は２記載のシート処理装置。
【請求項４】  前記綴じ手段はシート束を綴じる位置において一定の力で保持されることを特徴とする請求項１又は２記載のシート処理装置。
【請求項５】  ジャム処理用カバーを備え、前記ジャム処理用カバーが開かれた場合、或は前記綴じ手段が前記シート束を綴じる位置にない場合には前記綴じ手段を動作させないようにしたことを特徴とする請求項１乃至４のいずれか１項に記載のシート処理装置。
【請求項６】  前記綴じ手段は前記装置本体に回動自在に設けられていることを特徴とする請求項１乃至５のいずれか１項に記載のシート処理装置。
【請求項７】  前記綴じ手段の外観を形成するカバーが、前記装置本体の外装の一部を兼ねるようにしたことを特徴とする請求項１乃至６のいずれか１項に記載のシート処理装置。
【請求項８】  画像形成部と、前記画像形成部により画像が形成されたシートに対して綴じ処理を行うシート処理装置を備えた画像形成装置において、
前記シート処理装置は前記請求項１乃至７のいずれか１項に記載のものであることを特徴とする画像形成装置。
【請求項９】  前記シート処理装置は、画像形成装置本体の上方に配置されていることを特徴とする請求項８記載の画像形成装置。
【請求項１０】  前記画像形成装置本体に着脱自在に収納される給紙カセットと、前記画像形成装置本体に設けられた操作部とを備え、
前記シート処理装置の綴じ手段におけるシート搬送方向と、前記給紙カセットの装着方向及び前記操作部に向う方向のいずれかが同じであることを特徴とする請求項８又は９記載の画像形成装置。
【請求項１１】  前記シート処理装置の綴じ手段が針カートリッジ交換位置にあるとき、針カートリッジ交換方向がシート束を綴じる位置に比べ前記シート搬送方向に近づく方向にあることを特徴とする請求項８乃至１０のいずれか１項に記載の画像形成装置。
【請求項１２】  前記綴じ手段は前記針カートリッジを取り出す針カートリッジ取出しノブを備え、前記針カートリッジ取出しノブは前記給紙カセットの装着方向及び前記操作部に向う方向のいずれかから目視可能であることを特徴とする請求項１０又は１１記載の画像形成装置。
【請求項１３】  前記シート処理装置は、前記画像形成部により画像が形成されたシートを一時的に積載するための第１のシート積載部と、前記第１のシート積載部に積載されたシートの整合を行う整合手段とを有することを特徴とする請求項８乃至１２のいずれか１項に記載の画像形成装置。
【手続補正２】
【補正対象書類名】明細書
【補正対象項目名】０００８
【補正方法】変更
【補正の内容】
【０００８】
【課題を解決するための手段】
本発明は、シート束に対して綴じ処理を行う綴じ手段を備えたシート処理装置において、前記綴じ手段は着脱可能な針カートリッジを備え、かつシート束を綴じる位置と、前記針カートリッジを交換する位置とに選択的に移動可能に装置本体に設けられていることを特徴とするものである。
【手続補正３】
【補正対象書類名】明細書
【補正対象項目名】０００９
【補正方法】変更
【補正の内容】
【０００９】
また本発明は、前記綴じ手段を前記装置本体に着脱可能に設けたことを特徴とするものである。
【手続補正４】
【補正対象書類名】明細書
【補正対象項目名】００１２
【補正方法】変更
【補正の内容】
【００１２】
また本発明は、ジャム処理用カバーを備え、前記ジャム処理用カバーが開かれた場合、或は前記綴じ手段が前記シート束を綴じる位置にない場合には前記綴じ手段を動作させないようにしたことを特徴とするものである。
【手続補正書】
【提出日】平成20年9月2日(2008.9.2)
【手続補正１】
【補正対象書類名】明細書
【補正対象項目名】００１５
【補正方法】変更
【補正の内容】
【００１５】
複合型光学素子の成形は、まず、基材２の成形面２ａ上に樹脂層５を形成するための樹脂６を供給する。樹脂６の材質としては紫外線硬化型樹脂が使用される。
【手続補正２】
【補正対象書類名】明細書
【補正対象項目名】００２２
【補正方法】変更
【補正の内容】
【００２２】
複合型光学素子の成形は、まず、基材１２に樹脂層１５を形成するための樹脂１６を供給する。樹脂１６としては紫外線硬化型樹脂が使用される。
【手続補正書】
【提出日】平成20年3月21日(2008.3.21)
【手続補正１】
【補正対象書類名】明細書
【補正対象項目名】０００２
【補正方法】変更
【補正の内容】
【０００２】
【従来の技術】
図４は、従来公知の射出成形機の型締装置１０を示す。この型締装置は、固定プラテン１１と可動プラテン１２と支持プラテン１３とを有し、支持プラテン１３に備えられた型締駆動装置１４によって可動プラテン１２が固定プラテン１１に対して離接して、金型２０の可動側金型２１（可動金型）を固定側金型２２（固定金型）に対して開閉し、型締めする。１５は、型締駆動装置１４によって駆動される型締軸で、型締駆動装置１４が油圧式である場合に油圧ピストンロッドに一体化され、型締駆動装置１４が電動式である場合にボールねじまたはボールねじナットに一体化される。１２ａは、型締軸１５と可動プラテン１２とを結合する連結ブロックである。５０は、射出装置である。
【手続補正２】
【補正対象書類名】明細書
【補正対象項目名】０００３
【補正方法】変更
【補正の内容】
【０００３】
図５は、エジェクタ装置の構成を詳細に示す断面図である。エジェクタ装置３０は、可動金型２１のエジェクタプレート２３およびエジェクタピン２４を往復移動して成形品６０を突き出す装置で、型締軸１５と可動プラテン１２内に収容される。このエジェクタ装置は、駆動ロッド３１を往復駆動する突き出し駆動装置３２、駆動ロッド３１に一体に結合される伝達部材３３、および伝達部材３３とエジェクタプレート２３との間に配置されるエジェクタロッド３４を備える。図示の駆動装置３２は、油圧式のものである。駆動装置３２が電動式である場合には、駆動ロッド３１が、図示省略したモータによって駆動されるボールねじ機構によって往復移動する。伝達部材３３は、十字棒（クロスバー）形状のブロック部材で、その突き出し側の面にエジェクタロッド３４の取り付けねじ穴が所定のピッチで形成されている。エジェクタロッド３４は、型締装置１０に固有に付属している所定長さのものである。これに金型２０の形状に合わせた長さの中間ロッド２５が一体に結合されて全長が調整される。そして、エジェクタロッド３４は、伝達部材３３に縦または横に整列して複数本、またはその中心に１本が取り付けられる。
【手続補正３】
【補正対象書類名】明細書
【補正対象項目名】０００９
【補正方法】変更
【補正の内容】
【０００９】
一方、エジェクタロッド３４の先端側を結合するカップリング７０においては、このカップリング７０が前後に移動する穴を金型２０または可動プラテン１２に開ける必要がある。それで、可動金型２１または可動プラテン１２自体が追加工される必要があり特殊なものにならざるを得ない。しかも、万一カップリング７０が故障して分離できなくなった場合には、可動金型２１そのものから分解しなければならないという、重大なトラブルに陥る虞があった。
【手続補正書】
【提出日】平成20年9月1日(2008.9.1)
【手続補正１】
【補正対象書類名】明細書
【補正対象項目名】特許請求の範囲
【補正方法】変更
【補正の内容】
【特許請求の範囲】
【請求項１】
流体圧投入用開口部を有するテーブル本体と、該テーブル本体に回転可能に支承され中心穴を有するテーブルと、該テーブルの中心穴に挿入され且つ流体圧の出口を有するロータリシャフトと、該ロータリシャフトと前記テーブル本体との間に挿通されるデストリビュタを備え、前記ロータリシャフトとデストリビュタとでテーブル本体に供給される流体圧をロータリシャフトの出口に導くロータリジョイントを形成し、
該ロータリジョイントがテーブル本体の上面または下面のどちらか一つの方向から組み込まれる構成になされていることを特徴とする回転テーブル装置。
【請求項２】
流体圧投入用開口部を有するテーブル本体と、該テーブル本体に回転可能に支承され中心穴を有するテーブルと、該テーブルの中心穴に挿入され且つ流体圧の出口を有するロータリシャフトと、該ロータリシャフトと前記テーブル本体との間に挿通されるデストリビュタと、前記テーブルの回転とを拘束するクランプ機構を備え、前記ロータリシャフトデストリビュタとでテーブル本体に供給された流体圧をロータリシャフトの出口に導くロータリジョイントを形成し、該ロータリジョイントがテーブル本体の一つの方向から組み込まれる構成になされていると共にクランプ機構がロータリジョイントと同じ方向から組み込まれていることを特徴とする回転テーブル装置。
【請求項３】
前記クランプ機構がテーブルの半径方向におけるロータリジョイントの範囲内に配設されていることを特徴とする請求項２記載の回転テーブル装置。
【手続補正２】
【補正対象書類名】明細書
【補正対象項目名】０００５
【補正方法】変更
【補正の内容】
【０００５】
【課題を解決するための手段】
本発明は、流体圧投入用開口部を有するテーブル本体と、該テーブル本体に回転可能に支承され中心穴を有するテーブルと、該テーブルの中心穴に挿入され且つ流体圧の出口を有するロータリシャフトと、該ロータリシャフトと前記テーブル本体との間に挿通されるデストリビュタを備え、前記ロータリシャフトとデストリビュタとでテーブル本体に供給される流体圧をロータリシャフトの出口に導くロータリジョイントを形成し、該ロータリジョイントがテーブル本体の上面または下面のどちらか一つの方向から組み込まれる構成になされていることであり、また、前記テーブルの回転を拘束するクランプ機構を備え、該クランプ機構がロータリジョイントと同じ方向から組み込まれていることであり、さらに加えてクランプ機構がテーブルの半径方向におけるロータリジョイントの範囲内に配設されていることである。
【手続補正３】
【補正対象書類名】明細書
【補正対象項目名】０００６
【補正方法】変更
【補正の内容】
【０００６】
【発明の実施の形態】
本発明は、回転テーブル装置におけるロータリジョイントもしくはクランプ機構のメンテナンスを行なう際の作業性を改善する発明であって、ロータリシャフトデストリビュタからなるロータリジョイントの回転テーブル装置への組み込み方向を上面または下面のどちらか同じ方向にすること、さらに、クランプ機構もロータリジョイントも同じ方向から組み込むこと、および、クランプ機構をテーブルの半径方向においてロータリジョイントの範囲内に配設するものである。これによって、消耗部品となるオイルシール、Ｏリングなどの交換時、回転テーブル装置の上面または下面のどちらかの片面からすべて分解することができ、作業効率が大幅に向上される。
【手続補正書】
【提出日】平成20年7月3日(2008.7.3)
【手続補正１】
【補正対象書類名】明細書
【補正対象項目名】特許請求の範囲
【補正方法】変更
【補正の内容】
【特許請求の範囲】
【請求項１】  遊技盤上に設けられた入賞口への遊技球の入賞により該入賞口に対応した個数の賞球を払出し、かつ所定の遊技条件が成立することにより遊技者に有利な大当り遊技を開始するパチンコ機であって、
前記入賞口は複数個設けられ、各入賞口は賞球数が予め定められており、
所定時点から前記入賞口それぞれへの入賞球数と該入賞口それぞれに対応して定められている賞球数とから払出賞球数を算出すると共に、前記所定時点からの遊技時間と当該パチンコ機の通常単位時間当りに発射される球数とに基づいて推定打玉数を求め、前記払出賞球数から前記推定打玉数を差し引いて得られる値を遊技者の獲得球数として当該獲得球数の算出を開始する獲得球数算出手段と、
異なるモードの音を発生可能な音発生装置と、
前記獲得球数算出手段が算出する獲得球数に対応させて前記音発生装置が発生する音のモードを変えさせる音発生装置制御手段とを備えたことを特徴とするパチンコ機。
【請求項２】  請求項１に記載の構成において、前記所定時点は前記大当り遊技の開始時点であることを特徴とするパチンコ機。
【請求項３】  請求項１または請求項２に記載の構成において、前記獲得球数算出手段が算出する獲得球数について、その値の大きさに応じて複数の獲得球数範囲に分け、複数の獲得球数範囲と前記音発生装置が発生する音のモードとを対応させ、前記音発生装置制御手段は、前記音発生装置に前記獲得球数が含まれる獲得球数範囲に対応するモードの音を発生させることを特徴とするパチンコ機。
【手続補正２】
【補正対象書類名】明細書
【補正対象項目名】０００７
【補正方法】変更
【補正の内容】
【０００７】
【課題を解決するための手段】
請求項１記載に係る発明は、遊技盤上に設けられた入賞口への遊技球の入賞により該入賞口に対応した個数の賞球を払出し、かつ所定の遊技条件が成立することにより遊技者に有利な大当り遊技を開始するパチンコ機であって、前記入賞口は複数個設けられ、各入賞口は賞球数が予め定められており、所定時点から前記入賞口それぞれへの入賞球数と該入賞口それぞれに対応して定められている賞球数とから払出賞球数を算出すると共に、前記所定時点からの遊技時間と当該パチンコ機の通常単位時間当りに発射される球数とに基づいて推定打玉数を求め、前記払出賞球数から前記推定打玉数を差し引いて得られる値を遊技者の獲得球数として当該獲得球数の算出を開始する獲得球数算出手段と、異なるモードの音を発生可能な音発生装置と、前記獲得球数算出手段が算出する獲得球数に対応させて前記音発生装置が発生する音のモードを変えさせる音発生装置制御手段とを備えたことを特徴とする。
ここで、所定時点は、大当り遊技の開始時点等のように予め設定された時点及びホール従業員などが任意に定める所望時点を含んでいる。
【手続補正３】
【補正対象書類名】明細書
【補正対象項目名】０００８
【補正方法】変更
【補正の内容】
【０００８】
請求項２記載の発明は、請求項１に記載の構成において、前記所定時点は前記大当り遊技の開始時点であることを特徴とする。
請求項３記載の発明は、請求項１または請求項２に記載の構成において、前記獲得球数算出手段が算出する獲得球数について、その値の大きさに応じて複数の獲得球数範囲に分け、複数の獲得球数範囲と前記音発生装置が発生する音のモードとを対応させ、前記音発生装置制御手段は、前記音発生装置に前記獲得球数が含まれる獲得球数範囲に対応するモードの音を発生させることを特徴とする。
【手続補正４】
【補正対象書類名】明細書
【補正対象項目名】００５１
【補正方法】変更
【補正の内容】
【００５１】
【発明の効果】
請求項１に記載のパチンコ機に係る発明によれば、獲得球数算出手段が、所定時点から入賞口それぞれへの入賞球数と該入賞口それぞれに対応して定められている賞球数とから払出賞球数を算出すると共に、前記所定時点からの遊技時間と当該パチンコ機の通常単位時間当りに発射される球数とに基づいて推定打玉数を求め、前記払出賞球数から前記推定打玉数を差し引いて得られる値を遊技者の獲得球数として当該獲得球数の算出を開始する。そして、獲得球数算出手段により算出された獲得球数に対応させて、音発生装置制御手段が音発生装置が発生する音のモードを変えさせるので、遊技者などはその発生音を聞いて遊技を行なっている際の獲得球数を遊技中にもほぼリアルタイムで把握できる。
さらに、前記所定時点からの遊技時間と当該パチンコ機の通常単位時間当りに発射される球数とに基づいて推定打玉数を求め、前記払出賞球数から前記推定打玉数を差し引いて得られる値を遊技者の獲得球数として算出するので、より精度の高い獲得球数を得ることができる。
【手続補正５】
【補正対象書類名】明細書
【補正対象項目名】００５２
【補正方法】変更
【補正の内容】
【００５２】
請求項２に記載の発明によれば、請求項１の効果に加えて、多くの遊技球の獲得が期待される大当り期間中に獲得球数に対応するモードの音を発生するので、遊技者は遊技に伴う獲得球数の増大化を音（音のモード）が変化することにより把握でき、これにより遊技者に満足感を与えることが可能となる。
請求項３に記載の発明によれば、請求項１または請求項２の効果に加えて、獲得球数を算出し、その算出された獲得球数が含まれる獲得球数範囲に対応したモードの音を選択し、選択されたモードの音を音発生装置が発生するので、遊技者は、音発生装置からの発生音により獲得球数範囲ひいては獲得球概略数を容易に判別し、遊技が良好に進んでいるか否かを遊技を行ないながら適切に判断できることになる。
【手続補正書】
【提出日】平成20年6月20日(2008.6.20)
【手続補正１】
【補正対象書類名】明細書
【補正対象項目名】特許請求の範囲
【補正方法】変更
【補正の内容】
【特許請求の範囲】
【請求項１】  遊技盤の遊技領域に設けた入賞口に遊技球が入賞することにより、その入賞した入賞口に応じて所定の賞球数を払い出すと共に、所定の遊技条件を満たすことにより、短期間に多くの遊技球を獲得できる、遊技者にとって有利な大当り状態が発生するパチンコ機において、
前記入賞口は複数個設けられ、各入賞口は賞球数が予め定められており、
前記遊技盤に設けられ停止画像または変動画像を表示させ得る画像表示装置と、
予め定められた時点から、遊技者が獲得した遊技球数の推定を開始する獲得球数推定手段と、
予め定められた時点から、前記入賞口それぞれへの入賞球数と該入賞口それぞれに対応して定められている賞球数とから払出賞球数を算出すると共に、前記予め定められた時点からの遊技時間と当該パチンコ機の通常単位時間当りに発射される球数とから推定打球数を算出し、前記払出賞球数から前記推定打球数を差し引いて得られる値を遊技者が獲得した遊技球数として推定する獲得遊技球数の推定を開始する獲得球数推定手段と、
予め定められた時点から、前記獲得球数推定手段によって推定される遊技者の獲得した遊技球数に伴なって表示される数が変化する所定のキャラクタ画像を、前記画像表示装置に表示する画像表示制御手段とを備えたことを特徴とするパチンコ機。
【請求項２】  前記獲得球数推定手段による獲得遊技球数の推定、および前記画像表示制御手段によるキャラクタ画像の表示は、パチンコホールの開店時から開始されることを特徴とする請求項１に記載のパチンコ機。
【請求項３】  前記獲得球数推定手段による獲得遊技球数の推定、および前記画像表示制御手段によるキャラクタ画像の表示は、当該大当り状態の発生時点から開始されることを特徴とする請求項１に記載のパチンコ機。
【請求項４】  前記獲得球数推定手段による獲得遊技球数の推定、および前記画像表示制御手段によるキャラクタ画像の表示は、最初の大当り状態発生時点から打止終了時点までであることを特徴とする請求項１に記載のパチンコ機。
【手続補正２】
【補正対象書類名】明細書
【補正対象項目名】０００８
【補正方法】変更
【補正の内容】
【０００８】
【課題を解決するための手段】
上記課題を解決するために、請求項１記載に係るパチンコ機の発明は、遊技盤の遊技領域に設けた入賞口に遊技球が入賞することにより、その入賞した入賞口に応じて所定の賞球数を払い出すと共に、所定の遊技条件を満たすことにより、短期間に多くの遊技球を獲得できる、遊技者にとって有利な大当り状態が発生するパチンコ機において、前記入賞口は複数個設けられ、各入賞口は賞球数が予め定められており、前記遊技盤に設けられ停止画像または変動画像を表示させ得る画像表示装置と、予め定められた時点から、遊技者が獲得した遊技球数の推定を開始する獲得球数推定手段と、予め定められた時点から、前記入賞口それぞれへの入賞球数と該入賞口それぞれに対応して定められている賞球数とから払出賞球数を算出すると共に、前記予め定められた時点からの遊技時間と当該パチンコ機の通常単位時間当りに発射される球数とから推定打球数を算出し、前記払出賞球数から前記推定打球数を差し引いて得られる値を遊技者が獲得した遊技球数として推定する獲得遊技球数の推定を開始する獲得球数推定手段と、予め定められた時点から、前記獲得球数推定手段によって推定される遊技者の獲得した遊技球数に伴なって表示される数が変化する所定のキャラクタ画像を、前記画像表示装置に表示する画像表示制御手段とを備えたことを特徴とするものである。
【手続補正３】
【補正対象書類名】明細書
【補正対象項目名】０００９
【補正方法】変更
【補正の内容】
【０００９】
この発明によれば、獲得球数推定手段によって推定した遊技者の遊技球獲得数を、画像表示装置に表示するキャラクタによって報知する。そして、獲得した遊技球数の変化に対応させて表示するキャラクタの数を変化させる。例えば、獲得数が増加するに従って、表示するキャラクタの数を増加させる。このキャラクタ表示により、遊技者に、遊技の最中に、現時点での遊技球の獲得数量の概略をリアルタイムに、明瞭かつ容易に報知することができる。また、各入賞口への遊技球の入賞球数に対応して払出される賞球数から、遊技者が遊技盤面上に打ち出した遊技球の数を差し引いて、遊技者の獲得球数を算出推定しているので、算出精度の高い情報を遊技者に報知することができる。
【手続補正４】
【補正対象書類名】明細書
【補正対象項目名】００１０
【補正方法】変更
【補正の内容】
【００１０】
また、請求項２記載の発明は、請求項１記載の発明において、前記獲得球数推定手段による獲得遊技球数の推定、および前記画像表示制御手段によるキャラクタ画像の表示は、パチンコホールの開店時から開始されることを特徴とするものである。
【手続補正５】
【補正対象書類名】明細書
【補正対象項目名】００１１
【補正方法】変更
【補正の内容】
【００１１】
また、請求項３記載の発明は、請求項１記載の発明において、前記獲得球数推定手段による獲得遊技球数の推定、および前記画像表示制御手段によるキャラクタ画像の表示は、当該大当り状態の発生時点から開始されることを特徴とするものである。この発明によれば、その大当り遊技により獲得した遊技球数を明瞭かつ容易に報知することができる。
【手続補正６】
【補正対象書類名】明細書
【補正対象項目名】００１２
【補正方法】変更
【補正の内容】
【００１２】
更に、請求項４記載の発明は、請求項１記載の発明において、前記獲得球数推定手段による獲得遊技球数の推定、および前記画像表示制御手段によるキャラクタ画像の表示は、最初の大当り状態発生時点から打止終了時点までであることを特徴とするものである。この発明によれば、一回の大当り発生では打ち止め終了とはならない遊技、例えば、第一種パチンコ機において連続大当りが発生した場合、第二種パチンコ機において、一回の大当り遊技では獲得球数が打ち止め球数に達しない場合等において、遊技者は、現時点での遊技球の獲得数および獲得し得る未獲得球数を明瞭かつ容易に知ることができる。
【手続補正書】
【提出日】平成20年6月18日(2008.6.18)
【手続補正１】
【補正対象書類名】明細書
【補正対象項目名】特許請求の範囲
【補正方法】変更
【補正の内容】
【特許請求の範囲】
【請求項１】  遊技盤の遊技領域に設けた入賞口への遊技球の入賞により所定個数の賞球の払出しを行い、所定の動作条件を満たすことにより遊技状態が遊技者に有利な大当り状態へ移行すると共に、ホールにおける種々の管理を行うホールコンピュータに情報を送信可能なパチンコ機において、
前記入賞口は複数個設けられ、各入賞口は賞球数が予め定められており、
前記遊技盤に設けられ表示内容を変化させ得る画像表示装置と、
前記大当り状態への移行時から前記入賞口それぞれへの入賞球数と該入賞口それぞれに対応して定められている賞球数とから払出し賞球総数を算出すると共に、前記大当り状態への移行時からの経過時間と当該パチンコ機の通常単位時間当りに発射される球数とに基づいて推定打球総数を算出し、前記払出し賞球総数から前記推定打球総数を差し引いて得られる値を利益球数推定値として算出する利益球数の推定を開始して利益球数推定値を出力する利益球数推定手段と、
前記大当り状態への移行時から前記画像表示装置に、前記利益球数推定値に応じた所定の情報の表示を開始させ、かつ前記利益球数推定値が予め設定された値に達したときには、前記画像表示装置の表示内容を所定のシンボル画像に変化させる画像表示制御手段と、前記利益球数推定値が予め設定された値に達したときに、その旨の情報を前記ホールコンピュータに送信する情報出力手段とを具備することを特徴とするパチンコ機。
【請求項２】  予め設定された値とは打止め値であることを特徴とする請求項１に記載のパチンコ機。
【手続補正２】
【補正対象書類名】明細書
【補正対象項目名】０００６
【補正方法】変更
【補正の内容】
【０００６】
【課題を解決するための手段】
上記目的を達成するために、請求項１に記載のパチンコ機は、遊技盤の遊技領域に設けた入賞口への遊技球の入賞により所定個数の賞球の払出しを行い、所定の動作条件を満たすことにより遊技状態が遊技者に有利な大当り状態へ移行すると共に、ホールにおける種々の管理を行うホールコンピュータに情報を送信可能なパチンコ機において、前記入賞口は複数個設けられ、各入賞口は賞球数が予め定められており、前記遊技盤に設けられ表示内容を変化させ得る画像表示装置と、前記大当り状態への移行時から前記入賞口それぞれへの入賞球数と該入賞口それぞれに対応して定められている賞球数とから払出し賞球総数を算出すると共に、前記大当り状態への移行時からの経過時間と当該パチンコ機の通常単位時間当りに発射される球数とに基づいて推定打球総数を算出し、前記払出し賞球総数から前記推定打球総数を差し引いて得られる値を利益球数推定値として算出する利益球数の推定を開始して利益球数推定値を出力する利益球数推定手段と、前記大当り状態への移行時から前記画像表示装置に、前記利益球数推定値に応じた所定の情報の表示を開始させ、かつ前記利益球数推定値が予め設定された値に達したときには、前記画像表示装置の表示内容を所定のシンボル画像に変化させる画像表示制御手段と、前記利益球数推定値が予め設定された値に達したときに、その旨の情報を前記ホールコンピュータに送信する情報出力手段とを具備することを特徴とする。
【手続補正３】
【補正対象書類名】明細書
【補正対象項目名】０００７
【補正方法】変更
【補正の内容】
【０００７】
請求項２に記載の発明は、請求項１に記載の発明において、予め設定された値とは打止め値であることを特徴とする。
【手続補正４】
【補正対象書類名】明細書
【補正対象項目名】０００８
【補正方法】削除
【補正の内容】
【手続補正５】
【補正対象書類名】明細書
【補正対象項目名】００４１
【補正方法】変更
【補正の内容】
【００４１】
以上述べたように本実施の形態によれば、大当り状態への移行時から利益球数の推定を開始する利益球数推定手段からの利益球数推定値が打止め値に達したときに、画像表示装置の表示内容を所定のシンボル画像に変化（切換表示）させるようにしたので、大当り状態への移行時から現時点までの利益球数推定値が打止め値に達したか否かの情報の外部への報知を簡単明瞭に行うことができる。
したがって、パチンコ遊技中において、画像表示装置に表示した画像等の内容の変化が、遊技者に満足感や闘争心を与えてゲーム性を高め、あるいは遊技を継続するか否か等の判断に役立つ。
しかも、遊技者のそれまでの打球数を差し引いた値（利益球数推定値）、つまり遊技の損益勘定に直接関連した情報が報知されるので、単純な出玉数が報知される従来技術に比べ、遊技者にとってもホール従業員にとっても極めて便利である。
同時に情報出力部が、利益球数推定値が設定値に達した旨の情報をホールコンピュータに送信するので、ホールコンピュータ管理者も、特定のパチンコ機における利益球数推定値が打止め値に達したことを知ることができて便利である。
【手続補正６】
【補正対象書類名】明細書
【補正対象項目名】００４２
【補正方法】変更
【補正の内容】
【００４２】
特に、利益球数推定手段による利益球数の推定及び画像表示制御手段による所定の情報の表示を、各々大当り状態への移行時から開始するように構成したことによれば、利益球数は大当り状態において最も増加することから、画像表示装置の表示内容の変化はより速い時点で達成され、遊技者に大きな満足感を与えることができる。
【手続補正７】
【補正対象書類名】明細書
【補正対象項目名】００４３
【補正方法】変更
【補正の内容】
【００４３】
更に、所定時（大当り状態への移行時）からの入賞口への入賞球数と該入賞口に対応して定められている賞球数とから払出し賞球総数を算出すると共に、上記所定時からの経過時間に基づいて推定打球総数を算出し、該推定打球総数を上記払出し賞球総数から差し引いて得られる値を利益球数推定値として出力する利益球数推定手段を用いたことによれば、より正確な利益球数の推定が可能となる。
【手続補正８】
【補正対象書類名】明細書
【補正対象項目名】００４４
【補正方法】変更
【補正の内容】
【００４４】
【発明の効果】
以上述べたように本発明によれば、大当り状態への移行時から利益球数の推定を開始する利益球数推定手段からの利益球数推定値が打止め値等の予め設定された値に達したときに、画像表示装置の表示内容を所定のシンボル画像に変化させ、更に、利益球数推定値が設定値に達した旨の情報をホールコンピュータに送信するように構成したので、遊技者も、ホールの管理者も、そのパチンコ機の獲得球数が予め設定された値に達したことを遊技最中において知ることができるパチンコ機を提供できる。